(57)【要約】      （修正有）【課題】板ばねを安定的に連結具本体に収容可能とし、且つ、脱着操作時の運動を適切に制御可能な装身具用連結具を提供すること。【解決手段】本体部１０とボタン部２０とを少なくとも備える装身具用連結具１が提供される。かかる装身具用連結具１では、本体部１０は、本体部１０の内部に設けた空洞１３に連通される第１開口１１および第２開口１２と、空洞１３を画定する内表面に設けられる第１ガイドと、を備え、ボタン部２０は、第１開口１１を通じて本体部１０に嵌め込まれるときに第１ガイドに沿うように配置される板ばね２１と、第２開口１２を通じてシャフト部３０が本体部１０に挿入されるときにシャフト部３０を係止する係止部３２と、を備えるように構成される。【選択図】図１
2018187251.tif 000002
【特許請求の範囲】
【請求項１】
本体部とボタン部とを少なくとも備える装身具用連結具であって、
前記本体部が、
前記本体部の内部に設けた空洞に連通される第１開口および第２開口と、
前記空洞を画定する内表面に設けられる第１ガイドと、を備え、
前記ボタン部が、
前記第１開口を通じて前記本体部に嵌め込まれるときに、前記第１ガイドに沿うように配置される板ばねと、
前記第２開口を通じてシャフト部が前記本体部に挿入されるときに、前記シャフト部を係止する係止部と、を備える、装身具用連結具。
【請求項２】
前記板ばねが略Ｃ字形状を有する、請求項１記載の装身具用連結具。
【請求項３】
前記内表面が少なくとも曲面を有し、前記第１ガイドが前記曲面に沿って設けられて、前記板ばねが前記第１ガイドに当接される、請求項１または２項記載の装身具用連結具。
【請求項４】
前記第１ガイドが一対のレールと該一対のレール間に設けた突起部とを備え、前記板ばねの少なくとも一部が前記突起部で前記第１ガイドに当接される、請求項１から３の何れか一項記載の装身具用連結具。
【請求項５】
前記第１ガイドにおいて、前記第１開口と反対側の近傍に第１壁が設けられる、請求項１から４の何れか一項記載の装身具用連結具。
【請求項６】
前記第１ガイドにおいて、前記第１開口の近傍に第２壁が設けられる、請求項１から５の何れか一項記載の装身具用連結具。
【請求項７】
前記本体部が、前記シャフト部の挿入のために、前記第２開口部から前記空洞に向けた第２ガイドを備える、請求項１から６の何れか一項記載の装身具用連結具。
【請求項８】
請求項７記載の装身具用連結具において、
前記シャフト部が前記第２開口部および前記第２ガイドを通じて前記空洞に挿入されるにつれて、前記シャフト部の先端部が前記係止部に接触しながら前記ボタン部を押し下げて前記板ばねを圧縮し、前記シャフト部に設けられる係止溝において前記板ばねの復元力を通じて前記シャフト部を前記係止部に係止させる、装身具用連結具。
【発明の詳細な説明】
【技術分野】
【０００１】
本発明は、ネックレス等の装身具に用いられる連結具に関するものである。
【背景技術】
【０００２】
ネックレス等の装身具では、クラスプとも称される連結具によって紐状またはくさり状の部材の両端が連結される。連結具の中には、コイルスプリングや板ばねといった弾性体を使用して、人の指先による着脱操作時に操作部分の運動を制御するものがある。
【０００３】
例えば特許文献１に開示される装身具用の連結具は、板ばねをＶ字状に屈曲させた弾性係止板が内部に嵌め込まれたケース、および挿入係止片を備える。ケースの挿入口に挿入係止片が挿入されると、係止突起部が係止穴に嵌入されて弾性係止板の弾性力で係止する。これにより、挿入係止片がケースに連結される。また、連結した状態で弾性係止板の自由端に設けた操作片を押し下げると、弾性係止板の変形により係止突起部が係止穴から離脱され、挿入係止片がケースから離脱される。特許文献１に開示されるように、板ばねを採用した連結具は、衣服や人の指を傷付けないように、板ばねを連結具本体の内部に収容されることも多い。
【０００４】
このような脱着操作時の運動を適切に制御するために、弾性体の種類、大きさおよび形状、並びに弾性体の配置等を工夫する必要がある。例えば真珠のネックレスのような装身具において球状の連結具を実現し、内部に板ばねを収容する場合、球体の内部構造、収容する板ばねの大きさおよび形状、並びに板ばねと共に形成される操作部分の構造を工夫する必要がある。
【先行技術文献】
【特許文献】
【０００５】
【特許文献１】特開２００５−２９１３８１号公報
【発明の概要】
【発明が解決しようとする課題】
【０００６】
本開示は、板ばねを安定的に連結具本体に収容可能とし、且つ、脱着操作時の運動を適切に制御可能な装身具用連結具を提供することを目的とする。特に、板ばねを連結具本体に収容するために、連結具本体の内部構造、板ばねの大きさおよび形状、並びに、板ばねと共に形成され、シャフト部を係止するボタン部の構造等を工夫した装身具用連結具を提供することを目的とする。
【課題を解決するための手段】
【０００７】
本開示の一実施形態によれば、本体部とボタン部とを少なくとも備える装身具用連結具が提供される。かかる装身具用連結具において、上記本体部は、本体部の内部に設けた空洞に連通される第１開口および第２開口と、空洞を画定する内表面に設けられる第１ガイドと、を備える。また、上記ボタン部は、第１開口を通じて本体部に嵌め込まれるときに、第１ガイドに沿うように配置される板ばねと、第２開口を通じてシャフト部が本体部に挿入されるときに、シャフト部を係止する係止部と、を備える。
【０００８】
一実施形態による装身具用連結具は、板ばねを採用した上記ボタン部を、ガイドを有する上記本体部に嵌め込む構成とすることにより、ボタン部の運動、およびボタン部の本体部に対する位置関係を安定的に制御することができる。そして、脱着操作をスムーズに実施可能な装身具用連結具を提供することができる。
【図面の簡単な説明】
【０００９】
【図１】一実施形態による装身具用連結具を示す。
【図２】一実施形態による装身具用連結具を示す。
【図３】一実施形態による装身具用連結具を示す。
【図４Ａ】一実施形態による装身具用連結具の本体部を示す。
【図４Ｂ】一実施形態による装身具用連結具の本体部を示す。
【図５Ａ】一実施形態による装身具用連結具のボタン部を示す。
【図５Ｂ】一実施形態による装身具用連結具のボタン部を示す。
【図５Ｃ】一実施形態による装身具用連結具のボタン部を示す。
【図６Ａ】一実施形態による装身具用連結具の連結具本体を示す。
【図６Ｂ】一実施形態による装身具用連結具の連結具本体の断面図である。
【図６Ｃ】一実施形態による装身具用連結具の連結具本体の断面図である。
【図７】一実施形態による装身具用連結具のシャフト部を示す。
【図８】一実施形態による連結状態にある装身具用連結具の斜視断面図である。
【発明を実施するための形態】
【００１０】
最初に、本開示の例示的な実施形態の構成を列記して説明する。本開示の実施形態による、装身具用連結具は、以下のような構成を備えてもよい。
【００１１】
〔形態１〕形態１によれば、本体部とボタン部とを少なくとも備える装身具用連結具が提供される。かかる装身具用連結具は、上記本体部が、体部の内部に設けた空洞に連通される第１開口および第２開口と、空洞を画定する内表面に設けられる第１ガイドと、を備え、上記ボタン部が、第１開口を通じて本体部に嵌め込まれるときに、第１ガイドに沿うように配置される板ばねと、第２開口を通じてシャフト部が本体部に挿入されるときに、シャフト部を係止する係止部と、を備える。形態１の装身具用連結具によれば、板ばねを採用したボタン部を、ガイドを有する本体部に嵌め込む構成とすることにより、ボタン部の運動、およびボタン部の本体部に対する位置関係を安定的に制御することができる。そして、人による脱着操作をスムーズに実施可能な装身具用連結具を提供することができる。
【００１２】
〔形態２〕形態２によれば、形態１の装身具用連結具において、板ばねが略Ｃ字形状を有する。形態２の装身具用連結具によれば、スムーズなボタン部の運動を実現することができる。
【００１３】
〔形態３〕形態３によれば、形態１または形態２の装身具用連結具において、内表面が少なくとも曲面を有し、第１ガイドが曲面に沿って設けられて、板ばねが第１ガイドに当接される。形態３の装身具用連結具によれば、ボタン部の板ばねを本体部の内表面に効果的に当接させることができ、スムーズなボタン部の運動を実現することができる。
【００１４】
〔形態４〕形態４によれば、形態１から形態３の装身具用連結具において、第１ガイドが一対のレールと該一対のレール間に設けた突起部とを備え、板ばねの少なくとも一部が突起部で第１ガイドに当接される。形態４の装身具用連結具によれば、突起部において板ばねの少なくとも一部を当接させることにより、ボタン部の板ばねと本体部の第１ガイド間の摩擦抵抗とを低減させ、より一層スムーズなボタン部の運動を実現することができる。
【００１５】
〔形態５〕形態５によれば、形態１から形態４の装身具用連結具では、第１ガイドにおいて第１開口と反対側の近傍に第１壁が設けられる。形態５の装身具用連結具によれば、本体内部で板ばねが不意にボタン部本体から離脱した場合であっても、人の指先によるボタン部の操作を引き続き可能にする。つまり、ボタン部の位置関係を適切に維持することができ、ボタン部の運動を適切に制御することができる。
【００１６】
〔形態６〕形態６によれば、形態１から形態５の装身具用連結具では、第１ガイドにおいて、第１開口の近傍に第２壁が設けられる。形態６の装身具用連結具によれば、本体部の内部において板ばねが第１ガイドから脱落するのを防止することができる。
【００１７】
〔形態７〕形態７によれば、上記本体部が、シャフト部の挿入のために、第２開口部から空洞に向けた第２ガイドを備える。形態７の装身具用連結具によれば、連結部本体へのシャフト部の連結の際に、本体部の内部においてシャフト部を安定的に案内することができる。
【００１８】
〔形態８〕形態７の装身具用連結具において、上記シャフト部が第２開口部および第２ガイドを通じて空洞に挿入されるにつれて、シャフト部の先端部がボタン部の係止部に接触しながらボタン部を押し下げて板ばねを圧縮し、シャフト部に設けられる係止溝において板ばねの復元力を通じてシャフト部を係止部に係止させる。形態８の装身具用連結具によれば、板ばねの復元力を通じて、ボタン部における係止部に安定的に係止させることができ、シャフト部を連結具本体から簡単には離脱されないように構成することができる。
【００１９】
以下に、本開示に係る装身具用連結具の実施形態を添付図面と共に説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。
【００２０】
図１から図３に、一実施形態による装身具用連結具１の概要を斜視図で示す。図１は、装身具用連結具１を部品ごと（即ち、本体部１０、ボタン部２０、およびシャフト部３０）に示した概略図である。図２は、図１に示した部品の内、本体部１０およびボタン部２０を組み立てて連結具本体４０を形成した場合の装身具用連結具１の概略図である。図３は、図２の状態から更に、連結具本体４０にシャフト部３０を挿入した場合の装身具用連結具１の連結状態を示す概略図である。
【００２１】
図１に示すように、装身具用連結具１は、本体部１０、ボタン部２０、およびシャフト部３０を備える。本体部１０は、外表面が曲面形状を有し、本体部１０の内部に設けた空洞１３に連通される円形状の開口、即ちボタン嵌込口１１およびシャフト挿入口１２を備える。ボタン部２０は、本体部１０に嵌め込まれて組み立てられた際に本体部１０の内表面に当接される板ばね２１と、シャフト部３０が挿入された際にシャフト部３０を係止する係止部２２と、人の指先による押下操作を受ける操作部２３と、を備える。本体部１０のボタン嵌込口１１を通じて、ボタン部２０が本体部１０に嵌め込まれて連結具本体４０が組み立てられる（図２）。
【００２２】
また、本体部１０のシャフト挿入口１２を通じてシャフト部３０が挿入され、連結具本体４０に連結される（図３）。シャフト部３０は、シャフト本体軸３１と、係止溝３２と、先端部３３と、鍔部３４と、を備える。本体部１０のシャフト挿入口１２に対し、シャフト部３０が先端部３３から挿入され、鍔部３４まで差し込まれて図３に示す状態となった場合、ボタン部２０の係止部２２は、板ばね２１の弾性力によってシャフト部３０の係止溝３２を係止させるように構成される（後述）。
【００２３】
ボタン部２０の係止部２２にシャフト部３０の係止溝３２が係止されることにより、装身具用連結具１の連結状態が実現される。逆に、連結状態において人の指先で操作部２３が押し下げられ、且つシャフト部３０が指先で摘ままれて引き抜くように操作されると、図２に示すように、連結状態が解除されてシャフト部３０が連結具本体４０から離脱される。
【００２４】
図４Ａおよび図４Ｂに、図１に示した装身具用連結具１が備える本体部１０の単体の構造を示す。図４Ａは本体部１０のボタン嵌込口１１方向から見た平面図であり、図４Ｂは本体部１０の斜視図である。なお、図４Ｂでは、シャフト挿入口１２は見えていない位置にある。図４Ａに示すように、本体部１０の内部には空洞１３が形成される。具体的には、本体部１０の内表面によって空洞１３が画定され、ボタン嵌込口１１およびシャフト挿入口１２を連通する。
【００２５】
本体部１０は、その内表面に設けられ、ボタン嵌込口１１から延びるガイド１４を備える。空洞１３を画定する内表面は、少なくとも曲面を有するように形成され、該曲面に沿ってガイド１４が設けられる。ガイド１４はボタン嵌込用ガイドである。つまり、ボタン部２０は、ボタン嵌込口１１を通じて本体部１０内部に嵌め込まれるときに、ボタン嵌込用ガイド１４に沿って案内されるようにボタン部２０の板ばね２１が位置合わせされる。そして、板ばね２１は、本体部１０内部では、少なくとも部分的にボタン嵌込用ガイド１４に当接されて配置される。
【００２６】
ボタン嵌込用ガイド１４は、図４Ａに示すように、一対のレール１４１，１４２を有する。一対のレール１４１，１４２の間に板ばね２１を配置するように構成することにより、板ばね２１がボタン嵌込用ガイド１４から脱落するのを防止することができる。また、一対のレール１４１，１４２の間には、レールの方向に沿うように突起部を設けるのがよい（非図示）。当該突起部において板ばね２１の少なくとも一部を当接させることにより、板ばね２１とボタン嵌込用ガイド１４との間の摩擦抵抗を低減させ、スムーズなボタン部２０の運動を実現することができる。
【００２７】
更に、ボタン嵌込用ガイド１４は、図４Ａに示すように、ボタン嵌込口１１の反対側の近傍に設けられた板ばね回転防止壁１６を有する。板ばね回転防止壁１６は、略Ｃ字形状の板ばね２１が不意にボタン部２０本体から離脱した場合でも、本体部１０内部で板ばね２１がボタン嵌込用ガイド１４に沿って自由に回転するのを防止する。このような板ばね回転防止壁１６を設けることにより、板ばね２１が不意にボタン部２０本体から離脱した場合でも、ボタン部２０を尚も機能させることができる。つまり、人の指先によるボタン部２０の操作を引き続き可能にするため有利である。具体的には、本体部１０内部において、ボタン部２０の位置関係を引き続き維持することができ、また、シャフト３０を係止する際および人の指先で操作部２３が押下される際に、ボタン部２０の運動を引き続き制御することができる。
【００２８】
更に、ボタン嵌込用ガイド１４は、図４Ｂに示すように、ボタン嵌込口１１の近傍に立設される板ばね外れ防止壁１７を有する。これにより、板バネ外れ機構として機能し、つまり、本体部１０内部で板ばね２１がボタン嵌込用ガイド１４から脱落するのを防止することができる。
【００２９】
本体部１０は、また、シャフト挿入口１２から空洞１３に向けて延びるガイド１５を備える。ガイド１５はシャフト挿入用ガイドである。つまり、シャフト部３０が挿入される際、シャフト部３０をスムーズに移動させ、ボタン部２０の係止部２２との間を確実かつ効率的に係止させるように、シャフト挿入口１２から空洞１３に向けてシャフト部３０を案内する。
【００３０】
図５Ａから図５Ｃに、図１に示した装身具用連結具１が備えるボタン部２０の単体の構造を示す。図５Ａ（および図５Ｂ）はボタン部２０の正面図であり、図５Ｃはボタン部２０の側面図である。また、図５Ｂは図５Ａに示した正面図のうち、板ばね２１部分を実線で、それ以外のボタン部本体を点線で示したものである。
【００３１】
図５Ａおよび図５Ｂに示すように、板ばね２１は略Ｃ字形状を有する。特に図５Ｂに示すように、板ばね２１は、ばね挿入穴２５を通じてボタン部本体に挿入される。また、係止部２２は逆台形形状を有し、その短辺部２２ａにおいてシャフト部３０に係止される。短辺部２２ａは、更に、シャフト部３０の挿入方向に沿って肉厚となる立体形状を有するのがよい。操作部２３は、この例では、人の指先と接触する部分が曲面形状を有し、人の指による押下操作を受ける。
【００３２】
ボタン部本体に挿入された板ばね２１はその略中央部分で、ボタン部本体に設けた押さえ部２４が押潰されることにより、ボタン部２０に一体化して形成されるのがよい。上述したように、ボタン部２０が本体部１０に嵌め込まれた状態で、板ばね２１がボタン部２０本体から不意に離脱してしまうことも想定される。この場合は、上述した本体部１０のボタン嵌込用ガイド１４に設けた板ばね回転防止壁１６（図４Ａ）によって、板ばね２１が本体部１０内部でボタン嵌込用ガイド１４に沿って回転することが防止される。なお、板ばね２１はその略中央部分以外の部分で押さえ部２４によって押潰されてもよいが、この場合は、板ばね回転防止壁１６の配置関係を調整する必要がある。
【００３３】
ボタン部２０を本体部１０に嵌め込んで連結具本体４０を組み立てる際、板ばね２１の径がボタン嵌込口１１の径よりも短くなるように板ばね２１を圧縮して変形させることになる。板バネ２１の圧縮による変形は、弾性力（復元力）を生じさせることになる。つまり、連結具本体４０が組み立てられると、板ばね２１が復元力を生じたまま、板ばね２１の少なくとも一部がボタン嵌込用ガイド１４に当接されて配置される。
【００３４】
具体的には、本体部１０の内表面から外側に向けた板ばね２１の弾性力（復元力）を通じて、板ばね２１をボタン嵌込用ガイド１４上で止めることができる。したがって、板ばね２１は、本体部１０に嵌め込まれたボタン部２０の外れ止めとして機能することができる。板ばね２１の弾性力（復元力）は、これに加えて、板ばね２１がボタン嵌込用ガイド１４上に当接された状態において、押下操作によりボタン部２０が押し下げられたときに、押し下げ動作に対抗するよう印加されることもできる。板ばね２１の弾性力（復元力）は、ボタン部２０の係止部２２にシャフト３０を係止させる際にもボタン部２０の押し下げ動作に対抗するよう印加されることができる。
【００３５】
図６Ａから図６Ｃに、本体部１０にボタン部２０を嵌め込んで組み立てられた連結具本体４０を示す。図６Ａは、連結具本体４０を本体部１０のシャフト挿入口１２から見た平面図である。図６Ｂおよび図６Ｃは、図６Ａに示した連結具本体４０の断面図である。また、図６Ａおよび図６Ｂは、組み立てられた連結具本体４０の定常状態を示し、図６Ｃは、シャフト部３０の挿入に伴う押下操作や人の指先による押下操作によってボタン部２０が押し下げられた押下状態を示す。
【００３６】
図６Ａに示すように、ボタン部２０は、連結具本体４０が組み立てられると、本体部１０内部において、板バネ２１によって本体部１０に止められた定常状態となる。特に、ボタン部２０は、定常状態では、係止部２２の短辺部２２ａの少なくとも一部分が本体部１０のシャフト挿入口１２方向から見える位置に配置される。具体的には、図６Ｂに示すような本体部１０との配置関係を有するように構成される。
【００３７】
このような配置関係により、シャフト部３０がシャフト挿入口１２から挿入されたときに、係止部２２の短辺部２２ａがシャフト部３０の先端部３３と接触することになる。そして、シャフト部３０が空洞１３内部に更に差し込まれるにつれて、先端部３３が接触しながらスライドして、図６Ｃに示すようにボタン部２０を押し下げるようにボタン部２０の運動が制御される。これにより、板バネ２１には復元力が生じることになる。人の指先でボタン部の操作部２３が押し下げられる場合も同様である。なお、連結具本体４０とシャフト部３０の連結動作については、図８に関連して後述する。
【００３８】
図７に、図１に示した装身具用連結具１が備えるシャフト部３０の単体の構造を示す。シャフト部３０は、シャフト本体軸３１と、ボタン部２０の係止部２２と係止するための係止溝３２と、本体部１０の空洞１３に挿入する先端部３３と、単体部１０のシャフト挿入口１２に嵌まる鍔部３４と、を備える。シャフト部３０の全体を通じて、その断面は円形状である。本体部１０のシャフト挿入口１２に対し、シャフト部３０が先端部３３から挿入され、鍔部３４まで差し込まれると、ボタン部２０の係止部２２によって係止溝３２が係止されるように構成される。
【００３９】
シャフト本体軸３１の軸方向の長さは、本体部１０のシャフト挿入用ガイド１５の長さに合わせて規定されると共に、シャフト本体軸３１の断面の径は、シャフト挿入用ガイド１５の径に合わせて規定される。また、係止溝３２の軸方向の長さは、係止部２２の短辺部２２ａの奥行きに合わせて規定されると共に、係止溝３２における軸の断面の径は、シャフト本体軸３１の径よりも小さくなるように規定される。更に、先端部３３は、挿入方向に向けて先細りするような弾丸形状を有する。加えて、鍔部３４の断面の径は、シャフト挿入口１２の径に合わせて規定される。
【００４０】
図８に、連結具本体４０とシャフト部３０が連結状態にあるときの装身具用連結具１の斜視断面図を示す。図６Ａから図６Ｃに関連して上述したように、シャフト挿入口１２およびシャフト挿入用ガイド１５を通じてシャフト部３０が空洞１３に挿入されるにつれて、シャフト部３０の先端部３３が、係止部２２の短辺部２２ａへの接触状態を維持しながらボタン部２０を押し下げる。ボタン部２０の押下運動により、板ばね２１を圧縮により変形させて、押し上げ方向の復元力を生じさせる。図８に示すように、係止部２２の短辺部２２ａは、シャフト部３０の先端部３３が挿入される方向に沿って肉厚となるような立体形状を有するのがよい。これにより、先端部３３の弾丸形状と接触する面積を大きくし、スムーズな押下運動を実現することができる。
【００４１】
最終的には、図８に示すように、シャフト部３０の鍔部３４がシャフト挿入口１２に嵌まるまで挿入されると、シャフト部３０は、係止溝３２において、板ばね２１の復元力を通じて、ボタン部２０における係止部２２の短辺部２２ａに係止される。板ばね２１の復元力が作用することにより、指先がぶつかったり、衣類が引っかかったりした程度では、シャフト部３０は連結具本体４０から簡単には離脱されない。
【００４２】
一方、連結状態を解除するときには、最初に、指先によってボタン部２０の操作部２３が押し下げられて図６Ｃに示した押下状態とする。次いで、シャフト部３０を指先で摘まんで引き抜くように操作することで、連結具本体４０からシャフト部３０を簡単に離脱させることができる。
【００４３】
以上、本発明の実施の形態について説明してきたが、上述した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００４４】
１…装身具用連結具、１０…本体部、１１…ボタン嵌込口、１２…シャフト挿入口、１３…空洞、１４…ボタン嵌込用ガイド、１４１，１４２…レール、１５…シャフト挿入用ガイド、１６…板ばね回転防止壁、１７…板ばね外れ防止壁、２０…ボタン部、２１…板ばね、２２…係止部、２２ａ…短辺部、２３…操作部、２４…押さえ部、２５…ばね挿入穴、３０…シャフト部、３１…シャフト本体軸、３２…係止溝、３３…先端部、３４…鍔部、４０…連結具本体
【図１】
2018187251.tif 000003
【図２】
2018187251.tif 000004
【図３】
2018187251.tif 000005
【図４Ａ】
2018187251.tif 000006
【図４Ｂ】
2018187251.tif 000007
【図５Ａ】
2018187251.tif 000008
【図５Ｂ】
2018187251.tif 000009
【図５Ｃ】
2018187251.tif 000010
【図６Ａ】
2018187251.tif 000011
【図６Ｂ】
2018187251.tif 000012
【図６Ｃ】
2018187251.tif 000013
【図７】
2018187251.tif 000014
【図８】
2018187251.tif 000015